【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
表示手段に表示された画像中のオブジェクトの輪郭に対して入力手段を介して既に入力した結果得られる複数パターンの過去輪郭線を統合処理することにより平均輪郭線を生成する平均輪郭線生成手段と、
上記オブジェクトの輪郭に対して上記入力手段を介して現在入力中に得られる入力中輪郭線を構成する最新の入力中輪郭点と、上記平均輪郭線を形成する複数の平均輪郭形成点のうち当該最新の入力中輪郭点に対応する平均輪郭形成点とに基づいて誤差データを生成する誤差データ生成手段と、
上記誤差データに応じて上記平均輪郭線に対する入力状態を告知する告知手段と
を具えることを特徴とするオブジェクト輪郭抽出装置。
【請求項２】
上記誤差データ生成手段は、
上記最新の入力中輪郭点と、当該最新の入力中輪郭点に対して最も近傍に存在する平均輪郭形成点との間における直線距離を上記誤差データとして生成する
ことを特徴とする請求項１に記載のオブジェクト輪郭抽出装置。
【請求項３】
上記誤差データ生成手段は、
上記平均輪郭線に対して、上記入力中輪郭線を構成する複数の入力中輪郭点のうち上記最新の入力中輪郭点よりも前の前入力中輪郭点と、当該最新の入力中輪郭点とを結ぶベクトルがなす角度を上記誤差データとして生成する
ことを特徴とする請求項１に記載のオブジェクト輪郭抽出装置。
【請求項４】
上記誤差データ生成手段は、
上記複数パターンの過去輪郭線を形成する複数の過去輪郭形成点のうち、上記最新の入力中輪郭点と、当該最新の入力中輪郭点に対して最も近傍に存在する平均輪郭形成点とを含む所定範囲に有する過去輪郭形成点のばらつき度合を上記誤差データとして生成する
ことを特徴とする請求項１に記載のオブジェクト輪郭抽出装置。
【請求項５】
上記告知手段は、
上記誤差データに応じて音響の出力状態を制御することにより上記平均輪郭線に対する入力状態を告知する
ことを特徴とする請求項１に記載のオブジェクト輪郭抽出装置。
【請求項６】
上記告知手段は、
上記誤差データに応じて出力音圧レベルを上記音響の出力状態として変化させる
ことを特徴とする請求項５に記載のオブジェクト輪郭抽出装置。
【請求項７】
上記告知手段は、
上記誤差データに応じて出力周波数を上記音響の出力状態として変化させる
ことを特徴とする請求項５に記載のオブジェクト輪郭抽出装置。
【請求項８】
上記告知手段は、
上記誤差データに応じて出力パルス周期を上記音響の出力状態として変化させる
ことを特徴とする請求項５に記載のオブジェクト輪郭抽出装置。
【請求項９】
上記告知手段は、
上記誤差データに応じた力を上記入力手段にフィードバックすることにより上記平均輪郭線に対する入力状態を告知する
ことを特徴とする請求項１に記載のオブジェクト輪郭抽出装置。
【請求項１０】
上記告知手段は、
上記誤差データのデータ値に比例する上記力を上記入力手段にフィードバックする
ことを特徴とする請求項９に記載のオブジェクト輪郭抽出装置。
【請求項１１】
上記告知手段は、
上記誤差データに応じて上記力を緩和する緩和力を上記入力手段にフィードバックする
ことを特徴とする請求項９に記載のオブジェクト輪郭抽出装置。
【請求項１２】
上記力覚発生手段は、
上記誤差データのデータ値が大きいほど緩和になる緩和力覚を上記力として発生させる
ことを特徴とする請求項１０に記載のオブジェクト輪郭抽出装置。
【請求項１３】
表示手段に表示された画像中のオブジェクトの輪郭に対して入力手段を介して既に入力した結果得られる複数パターンの過去輪郭線を統合処理することにより平均輪郭線を生成する平均輪郭線生成ステップと、
上記オブジェクトの輪郭に対して上記入力手段を介して現在入力中に得られる入力中輪郭線を構成する最新の入力中輪郭点と、上記平均輪郭線を形成する複数の平均輪郭形成点のうち当該最新の入力中輪郭点に対応する平均輪郭形成点とに基づいて誤差データを生成する誤差データ生成ステップと、
上記誤差データに応じて上記平均輪郭線に対する入力状態を告知する告知ステップと
を具えることを特徴とする入力状態告知方法。
【請求項１４】
コンピュータに、
表示手段に表示された画像中のオブジェクトの輪郭に対して入力手段を介して既に入力した結果得られる複数パターンの過去輪郭線を統合処理することにより平均輪郭線を生成する平均輪郭線生成ステップと、
上記オブジェクトの輪郭に対して上記入力手段を介して現在入力中に得られる入力中輪郭線を構成する最新の入力中輪郭点と、上記平均輪郭線を形成する複数の平均輪郭形成点のうち当該最新の入力中輪郭点に対応する平均輪郭形成点とに基づいて誤差データを生成する誤差データ生成ステップと、
上記誤差データに応じて上記平均輪郭線に対する入力状態を告知する告知ステップと
を実行させるための入力状態告知プログラム。
【請求項１５】
表示手段に表示された画像中のオブジェクトの輪郭に対して入力手段を介して既に入力した結果得られる複数パターンの過去輪郭線を統合処理することにより平均輪郭線を生成する平均輪郭線生成ステップと、
上記オブジェクトの輪郭に対して上記入力手段を介して現在入力中に得られる入力中輪郭線を構成する最新の入力中輪郭点と、上記平均輪郭線を形成する複数の平均輪郭形成点のうち当該最新の入力中輪郭点に対応する平均輪郭形成点とに基づいて誤差データを生成する誤差データ生成ステップと、
上記誤差データに応じて上記平均輪郭線に対する入力状態を告知する告知ステップと
を具えることを特徴とする入力状態告知プログラムを情報処理装置に実行させる入力状態告知プログラム格納媒体。
【手続補正２】
【補正対象書類名】明細書
【補正対象項目名】０１１２
【補正方法】変更
【補正の内容】
【０１１２】
但し、上述した誤差データ生成処理ルーチンＳＲＴ２（ＳＲＴ２Ａ〜ＳＲＴ２Ｄ）では入力中輪郭点データＤＫ５だけの誤差データ生成処理手順について説明した関係上、当該入力中輪郭点データＤＫ５に対応する誤差データＥＡ５、ＥＢ５  、ＥＣ５  又はＥＤ５に着目して説明する。
【手続補正３】
【補正対象書類名】明細書
【補正対象項目名】０２０２
【補正方法】変更
【補正の内容】
【０２０２】
さらに上述の第１の実施の形態においては、入力中輪郭点ＤＫＰ５と、当該入力中輪郭点ＤＫＰ５に対応する平均輪郭形成点ＡＶＰ２との位置関係だけに応じて音響を出力したが、本発明はこれに限らず、当該入力中輪郭点ＤＫＰ５が平均輪郭線ＡＶＯＬよりも外側であるか内側であるかの位置関係をも考慮し、平均輪郭線ＡＶＯＬに対して外側方向へ隔離している場合と、内側方向へ隔離している場合とによって音響の出力状態をそれぞれ異なる状態に変更するようにしても良い。この場合、平均輪郭線ＡＶＯＬに対する入力状態をユーザに対して一段と認識させることができる。
【手続補正４】
【補正対象書類名】明細書
【補正対象項目名】０２７２
【補正方法】変更
【補正の内容】
【０２７２】
従って力覚制御部１１３は、距離誤差データＮＥＡの直線距離Ｌ２（図８）、垂線距離誤差データＮＥＢの垂線直線距離ＢＬ（図１０）又は角度誤差データＮＥＣ（図１２）の角度θが大きい場合には、強い力Ｆ１を通じて入力中輪郭点ＤＫＰ５が平均輪郭線ＡＶＯＬの平均輪郭形成点ＡＶＰ２から大きく離れていることを力覚として輪郭入力操作中のユーザに対してリアルタイムに認識させる。
【手続補正５】
【補正対象書類名】明細書
【補正対象項目名】０２７４
【補正方法】変更
【補正の内容】
【０２７４】
一方、力覚制御部１１３は、分散誤差データＮＥＤの分散値Ｂｕが大きい場合には強い力Ｆ１を通じて平均輪郭形成点ＡＶＰ２付近では入力し難い傾向にあることを力覚として輪郭入力操作中のユーザに対してリアルタイムに認識させ、これに対して小さい場合には弱い力Ｆ１を通じて入力し易い傾向にあることを力覚として輪郭入力操作中のユーザに対してリアルタイムに認識させるようになされている。
【手続補正６】
【補正対象書類名】明細書
【補正対象項目名】０３１４
【補正方法】変更
【補正の内容】
【０３１４】
また上述の第２の実施の形態においては、合力Ｆ３を力覚としてユーザに与えるための力覚データＰＷ５〜ＰＷ８を算出する際にペン移動速度Ｖを用いる場合について述べたが、本発明はこれに限らず、例えば現時点の入力中輪郭点ＤＰＫ５と、当該入力中輪郭点ＤＰＫ５よりも１つ前の入力中輪郭点ＤＰＫ４との間における移動速度や、数個前の入力中輪郭点を用いるようにしても良い。